(57)【特許請求の範囲】
【請求項１】
小型の循環型穀粒乾燥機の機体に装備せる下部スクリューコンベアの作動を、所定のインターバルをおいて駆動される間欠作動とするよう制御して、機体内の穀槽部に張り込んで循環させる穀粒の、所定水分値までに乾し上げる間の循環回数を、下部スクリューコンベアを連続作動させたときの循環回数に対し、半分乃至数分の１に減少させるように設定しておいて、機体内の穀槽部に穀粒を張り込んで乾燥させることを特徴とする小型の循環型穀粒乾燥機を用いる穀粒の乾燥方法。
【請求項２】
小型の循環型穀粒乾燥機の機体に装備せる下部スクリューコンベアを駆動するモータの制御回路に、そのモータの作動を所定のインターバルをおいた間欠作動とするタイマー装置を組み込み、それによる下部スクリューコンベアの間欠作動により、穀粒を乾し上げるまでの穀粒の循環回数が、下部スクリューコンベアを連続状態に回転させたときの循環回数に対し略半分乃至数分の１になるようにしてあることを特徴とする小型の循環型穀粒乾燥機。
【請求項３】
小型の循環型穀粒乾燥機の機体に装備せる下部スクリューコンベアを駆動するモータの制御回路に、そのモータの作動を所定のインターバルをおいた間欠作動とするタイマー装置を組み込んだ間欠作動回路と、そのモータの作動を連続駆動させる連続作動回路とを接続させて設け、これら回路を、機体の前面に装備せるコントローラの操作盤に設けた切換ダイヤルの回動操作により切り換え自在としたことを特徴とする請求項２記載の小型の循環型穀粒乾燥機。
【発明の詳細な説明】
【０００１】
【発明が属する技術分野】
本発明は、機体内に張り込んだ穀粒を、機体底部に設けた下部スクリューコンベアで機外に搬出し、昇降機により揚送して機体内の上部に戻すよう循環させ、この循環流動する穀粒に対し機体内に設けた乾燥部において熱風を送給して乾燥する循環型の穀粒乾燥機のうちで、昇降機が穀粒の揚送と揚送した穀粒を投げ出しにより機体内への投入とを兼ねるようにしてある小型の循環型穀粒乾燥機についての改良に関する。
【０００２】
【従来の技術】
上述の形態の小型の循環型穀粒乾燥機は、例えば、実開昭６３−８９５９６号公報にあるように、穀粒を機体内に均分して投入する均分器が省略され、また、機体内の乾燥部において熱風（乾燥風）を浴びた穀粒を下部スクリューコンベアに向けて落下排出させるためバルブシャッタ（ドラムシャッタ）を省略して、低価格のものとして作られている。
【０００３】
図面に従い具体的にいえば、図１および図２に示しているように、箱状に組み立てた機体１の前面側に立設する昇降機２を、それの揚穀塔２０内に収蔵せるバケットコンベア２１の上昇行程側２１ａが、機体１の外面側に向かい、下降行程側２１ｂが機体１に対面する形態として機体１の前面に立設しておいて、バケットコンベア２１のバケット２２が、上昇行程側２１ａの上端に達して、上部プーリー２３の周りを回動して下降行程側２１ｂに移行するときに、穀粒を放出する作動を利用して、穀粒を機体１内の穀槽部ａに放てきさせ、これにより、穀粒の穀槽部ａへの均分投入が行なわれるようにして上部スクリューコンベア（図示省略）および均分器（図示省略）を省略した形態にする。
【０００４】
また、一対に対向する通気性の隔壁３０・３０により形成する穀粒流下路３と、それの一側に配設される熱風の送給路４と、前記穀粒流下路３の他側に配設される排風路５とで構成される乾燥部ｂの前記穀粒流下路３は、それの下端側を、機体１内の底部に横設する下部スクリューコンベア装置６の搬送樋６０の内腔に対し直接に接続連通させておいて、その穀粒下路３を形成する左右の通気性の隔壁３０・３０のうちの一方の隔壁３０の下端縁を、搬送樋６０の床面に接続させ、他方の隔壁３０の下端縁は搬送樋６０の床面から浮き上がった位置に配設しておくことで、穀粒流下路３内に穀槽部ａの底部から流入してきた穀粒が、この他方の隔壁３０の下端縁と搬送樋６０の床面との間に形成される開放口ｗから搬送樋６０内に溢出して、その開放口ｗの外方に堆積していき、その堆積した穀粒の、前記隔壁３０の下端縁から搬送樋６０の床面に至る上表面が、安息角に達することで、この堆積した穀粒が開放口ｗを閉塞した状態となって穀粒の溢出を停め、穀粒流下路３内の穀粒の流下を停止させるようにし、この穀粒が堆積する開放口ｗの外側部位に下部スクリューコンベア６１を配設しておき、これにより穀粒を搬出した分だけ穀粒が開放口ｗから溢出してくるようにして、通常、穀粒流下路３の下端にそれを塞ぐように設けるバルブシャッタまたはドラムシャッタを省略するようにする。
【０００５】
そして、乾燥すべき穀粒を張り込む穀槽部は、それの容量を、２０石〜３０石程度の張込容量となったいる通常の循環型穀粒乾燥機の張込容量に対し数分の１の１０石程度として、安価な小型の循環型穀粒乾燥機を構成するようにしている。
【０００６】
【発明が解決しようとする課題】
上述の形態の小型の循環型穀粒乾燥機は、昇降機のバケットコンベアのバケットからの穀粒の投げ出しを利用して機体内への穀粒の分散投入を行なって、機体の上部に横架装設される張込用の上部スクリューコンベアおよびその上部スクリューコンベアの終端部から排出される穀粒を均分して放出する均分器を省略し、また、下部スクリューコンベアが、穀粒を搬出するときに安息角を保持して堆積している穀粒を崩落させることで穀粒流下路内の穀粒の繰り出しが行なわれるようにしてドラムシャッタまたはバルブシャッタを省略していることから、低価格の穀物乾燥機に作られるが、小型に作られていることで、機体内の穀槽部の容量が小さく、従って張込量が小量になることから、所定水分値まで穀粒を乾し上げるまでの穀粒の循環回数が多くなっている。
【０００７】
ところで、この小型の循環型穀粒乾燥機には、収穫した穀粒の状態により脱ぷ粒を多く発生させる場合を生ぜしめる問題がある。
【０００８】
特に、収穫した穀物が、刈り取り時にすでに籾殻に割れが生じて、脱ぷしかかっている開穎籾（天候によって大量に発生するときがある）の乾燥作業を行なうと、機体内に張り込んだ穀粒の循環が数回繰り返された程度のところで完全に脱ぷしてしまい、玄米粒となる。そして、玄米の状態となった穀物を乾燥させると、傷が付き易く、かつ、胴割れが生じ易いことで、乾し上げ穀物の品質・等級を著しく低下させるようになる問題を生ぜしめている。
【０００９】
本発明は、この従前の小型の循環型穀粒乾燥機に生じている問題を解消せしめるためになされたものであって、乾燥しようとする穀物が開穎籾であっても、この小型の循環型穀粒乾燥機を用いて、脱ぷを発生させることなく所定の水分値に乾し上げられるようにする新たな手段を提供することを目的とする。
【００１０】
【課題を解決するための手段】
上述の目的を達成するための本発明手段は、小型の循環型穀粒乾燥機および大型の循環型穀粒乾燥機の乾燥作動について種々の検討を行なって得られた知見に基づいて完成したものである。
【００１１】
即ち、大型の循環型穀粒乾燥機は、乾燥の対象とする穀粒が開穎籾であっても脱ぷを生ぜしめないで乾し上げられるが、小型の循環型穀粒乾燥機は開穎籾の乾燥を行なうと脱ぷ粒が多く発生するようになる。
【００１２】
ところで、開穎籾に脱ぷを生ぜしめないでほしあげる大型の循環型穀粒乾燥機は、穀粒の張込容量が小型の循環型穀粒乾燥機の張込容量に対し数倍に大きいことで、張り込んだ穀粒を所定水分値まで乾し上げるまでの穀粒の循環回数が、小型の循環型穀粒乾燥機が穀粒を所定水分値までに乾し上げる際に要する循環回数に比して、数分の１に少なくなっている。
【００１３】
このことから、開穎籾を乾燥させる際に生ずる脱ぷは、乾燥行程中の循環流動の影響を受けていることに気付いたこと、小型の循環型穀粒乾燥機で開穎籾の乾燥を行なう際、機体内に張り込んだ開穎籾が数回循環することで脱ぷしてくることが、逆に数回の循環を繰り返すまでは脱ぷしてこないことに想到したことから、小型の循環型穀粒乾燥機の穀粒の循環作動の制御を行なっている下部スクリューコンベアの作動を、タイマーの組み込みにより間欠的に行なわれるように制御して、乾燥行程中における穀粒の循環回数を半減させて開穎籾の乾燥を行なったところ、殆ど脱ぷを生ぜしめないで所定の水分値までの乾し上げが行なえるようになる、という知見が得られたことによるものである。
【００１４】
そして、このことから、本発明手段においては、上述の目的を達成するための手段として、小型の循環型穀粒乾燥機の機体に装備せる下部スクリューコンベアの作動を、所定のインターバルをおいて駆動される間欠作動とするよう制御して、機体内の穀槽部に張り込んで循環させる穀粒の、所定水分値までに乾し上げる間の循環回数を、下部スクリューコンベアを連続作動させたときの循環回数に対し、半分乃至数分の１に減少させるように設定しておいて、機体内の穀槽部に穀粒を張り込んで乾燥させることを特徴とする小型の循環型穀粒乾燥機を用いる穀粒の乾燥方法を提起し、また、小型の循環型穀粒乾燥機の機体に装備せる下部スクリューコンベアを駆動するモータの制御回路に、そのモータの作動を所定のインターバルをおいた間欠作動とするタイマー装置を組み込み、それによる下部スクリューコンベアの間欠作動により、穀粒を乾し上げるまでの穀粒の循環回数が、下部スクリューコンベアを連続状態に回転させたときの循環回数に対し略半分乃至数分の１になるようにしてあることを特徴とする小型の循環型穀粒乾燥機を提起するものである。
【００１５】
【発明の実施の形態】
本発明手段に用いる小型の循環型穀粒乾燥機は、それの基本的な構成については、図１乃至図５に示しているように、通常の小型の循環型穀粒乾燥機と同様に、機体１内の穀槽部ａに対する穀粒の投入を、機体１の前面に立設する昇降機２の揚穀塔２０内に収蔵するバケットコンベア２１のバケット２２の放てき作動で行なうようにして、張込用の上部スクリューコンベアおよび均分器を省略し、また、乾燥部ｂの穀粒流下路３の下端側を下部スクリューコンベア装置６の搬送樋６０に接続して、その穀粒流下路３を構成する一対の通気性の隔壁３０・３０の下端縁の一方と搬送樋６０の床面との間に穀粒を溢出させる開放口ｗを形成し、これの外側位置に下部スクリューコンベア６１を配設することで穀粒流下路３の下端部位に設けるドラムシャッタまたはバルブシャッタを省略して、安価な形態のものに構成してある。
【００１６】
しかし、穀粒に循環流動を行なわせる下部スクリューコンベア６１については、それのスクリュー軸６１ａを駆動するモータＭの作動を制御する制御回路に、モータＭの作動が所定のインターバルを置いた間欠作動で行なわれるように制御するタイマー装置を組み込み、これによりモータＭにより駆動される下部スクリューコンベア６１の作動を、回転を停止させた休止期間が所定のインターバルをおいて介在する間欠作動として、その休止期間の分だけ、下部スクリューコンベア６１の作動による穀粒の循環作動を減らし、乾燥し終えるまでの穀粒の循環回数を減少させるようにする。
【００１７】
ここで、タイマー装置により下部スクリューコンベア６１の作動行程中に設定する所定のインターバルをおいた回転を停止させる休止期間は、それの時間長さと、その時間長さのインターバルをおいて回転作動する下部スクリューコンベア６１の一度の作動時間との比と、小型の循環型穀粒乾燥機の張込容量とから演算される乾燥行程の終了時までの穀粒の循環回数を、開穎籾の乾燥を行なっても脱ぷが殆ど生じてこない大型の循環型穀粒乾燥機における乾燥行程の終了時までの穀粒の循環回数と等しいか、それに近い回数となるように設定する。
【００１８】
例えば、小型の循環型穀粒乾燥機の張込容量が１０石で、通常の大型の循環型穀粒乾燥機の張込容量が２０石であるとすると、これらに組み込まれる下部スクリューコンベア６１の寸法形状および搬送能力に殆ど差異が無いことで、張り込んだ穀粒を乾し上げるまでの穀粒の循環回数が小型の循環穀粒乾燥機では大型の循環穀粒乾燥機の２倍になっていることから、これを半減させるようにして大型のものと同程度の循環回数となるように設定する。
【００１９】
そして、このモータＭの制御回路には、通常の穀粒を乾燥させるための、前述のタイマー装置の組み込みがない通常の連続運転を行なわす連続運転回路を設け、これとタイマー装置を具備する間欠運転回路との切り換えが、例えば、図６にあるように、機体１の前面側に装設しておくコントローラの操作盤７に、切換ダイヤル７０を設けておいて、これの回動操作によって行なえるようにする。
【００２０】
このとき、モータＭの制御回路には、例えば、下部スクリューコンベア６１に、１分間の駆動と１分間の休止とを繰り返させる間欠作動と、２分間の駆動と２分間の休止とを繰り返させる間欠作動とのように、下部スクリューコンベア６１を駆動して行なわす循環乾燥と下部スクリューコンベアを停止させて行なわす静止乾燥との繰り返しの態様にバリエーションを持たせた複数のタイマー装置を組み込んでおき、前述の操作盤７に設ける切換ダイヤル７０には、図８にあるように、前述の１分間毎の繰り返しを選択して設定する間欠１の目盛７００および前述の２分間毎の繰り返しを選択して設定する間欠２の目盛７０１ならびに従来通りの連続運転させる作動を選択して設定する標準の目盛７０２を設けておいて、この切換ダイヤル７０の回動操作により切り換え選択が行なえるようにしてよい。
【００２１】
また、この機体１に張込んだ穀粒を循環流動させる下部スクリューコンベア６１の作動を制御して穀粒を乾かし上げるまでに循環させる回数を、大型の循環型穀粒乾燥機が穀粒を乾かし上げまでに穀粒を循環させる回数に略一致させるか、またはその回数に近づけるようにするための制御は、例えば、前述のコントローラの操作盤７に、半導体記憶装置を装備せるメモリーカード８の挿込口７１を設けておいて、ここにメモリーカード８を挿し込むことで、小型の循環型穀粒乾燥機Ａの運転稼働が、このメモリーカード８に装備せる記憶装置に組込まれた乾燥処理のプログラムに従って行われるようにし、かつ、このメモリーカード８を、それに組込む乾燥処理のプログラムに、穀粒を所定水分値まで乾かし上げていくときの乾燥速度、および所定水分値に乾かし上げるまでに穀粒を循環させる回数にバリエーションをもたせた複数を用意しておいて、それらカード８…を選択して挿し換えることにより、好みの乾燥方式において、穀粒の循環回数を、大型の循環穀粒乾燥機で穀粒を乾燥させる際の穀粒の循環回数に略一致させるか、それに近づけるように制御するようにしてもよい。
【００２２】
【発明の効果】
以上説明したように、本発明による小型の循環型穀粒乾燥機を用いる穀粒の乾燥手段は、小型の循環型穀粒乾燥機の機体に装設せる下部スクリューコンベアの作動を、所定のインターバルをおいて駆動される間欠作動とすることで、その機体内の穀槽部に張り込んでその穀槽部下方の乾燥部から下部スクリューコンベアを経て昇降機により再び穀槽部に戻るよう循環する穀粒の、所定水分値までに乾し上げられる間の循環回数を、半分乃至数分の１に設定しておいて、機体内の穀槽部に穀粒を張り込んで乾燥させるようにしているのだから、乾燥しようとする穀粒が開穎籾である場合にも、それが完全に脱ぷして玄米粒となるのを防止して所定の水分値まで乾し上げられるようになる。
【図面の簡単な説明】
【図１】小型の循環型穀粒乾燥機の縦断正面図である。
【図２】同上の縦断側面図である。
【図３】同上の全体の概要斜視図である。
【図４】同上の横断平面図である。
【図５】同上の要部の縦断正面図である。
【図６】同上の機体に装架したコントローラに組み付けた操作盤の正面図である。
【図７】同上の操作盤に設けたカード挿込口に挿し込むメモリーカードの斜視図である。
【図８】同上の操作盤に設けた切換ダイヤルの拡大正面図である。
【符号の説明】
Ａ…循環型穀粒乾燥機、Ｍ…モータ、ａ…穀槽部、ｂ…乾燥部、ｗ…開放口、１…機体、２…昇降機、２０…揚穀塔、２１…バケットコンベア、２１ａ…上昇行程側、２１ｂ…下降行程側、２２…バケット、２３…上部プーリー、３…穀粒流下路、３０…隔壁、４…送給路、５…排風路、６…下部スクリューコンベア装置、６０…搬送樋、６１…下部スクリューコンベア、６１ａ…スクリュー軸、７…操作盤、７０…切換ダイヤル、７００・７０１・７０２…目盛、７１…挿込口、８…メモリーカード。
【図１】
0003683802.tif 000002
【図２】
0003683802.tif 000003
【図３】
0003683802.tif 000004
【図４】
0003683802.tif 000005
【図５】
0003683802.tif 000006
【図６】
0003683802.tif 000007
【図７】
0003683802.tif 000008
【図８】
0003683802.tif 000009